(57)【要約】【課題】透過型ディスプレイと他のディスプレイの重なり具合に応じた表示を可能にする。【解決手段】表示装置は、第１ユニット１１０と第２ユニット１２０とを備え、これらは相対的に移動可能である。また、第１ユニット１１０は、第１ディスプレイ１１１を備え、第２ユニット１２０は、第２ディスプレイ１２１を備える。第２ディスプレイ１２１は、透過型ディスプレイであり、これを介してその奥にあるもの（例えば、第１ディスプレイ１１１）を視認可能である。第１ディスプレイ１１１及び第２ディスプレイ１２１は、各々が重なっている形態（第１形態）のときと重なっていない形態（第２形態）のときとで、異なる画像を表示する。さらに、第１ディスプレイ１１１又は第２ディスプレイ１２１は、第２ユニット１２０が移動する過渡的な期間に、第１形態及び第２形態のいずれとも異なる態様で画像を表示する。【選択図】図９
2011248208.tif 000002
【特許請求の範囲】
【請求項１】
画像を表示する第１ディスプレイを有する第１ユニットと、
画像を表示する透過型の第２ディスプレイを有する第２ユニットと、
前記第１ユニット及び前記第２ユニットの位置をスライドによって相対的に移動させ、当該表示装置の形態を変化させる移動機構とを備え、
前記移動機構が、当該表示装置の形態を、前記第１ディスプレイと前記第２ディスプレイの少なくとも一部の領域が重なる第１形態と、前記第１ディスプレイと前記第２ディスプレイの重なる領域が前記第１形態よりも少ない第２形態とに変化させる
ことを特徴とする表示装置。
【請求項２】
前記第１形態において、重ねられたときに組合せ画像を構成する部分画像を前記第１ディスプレイ及び前記第２ディスプレイにそれぞれ表示させ、前記第２形態において、前記第１形態における態様と異なる態様で前記第１ディスプレイ又は前記第２ディスプレイに画像を表示させる表示制御部を備える
ことを特徴とする請求項１に記載の表示装置。
【請求項３】
前記第１形態において、第１画像を前記第１ディスプレイに表示させ、当該第１形態から前記第２形態に変化する場合に、前記第１画像に関連する第２画像を前記第２ディスプレイに表示させる表示制御部を備える
ことを特徴とする請求項１に記載の表示装置。
【請求項４】
前記第１形態から前記第２形態に変化する期間に、前記第２ユニットの移動に応じて変化する画像を前記第１ディスプレイ又は前記第２ディスプレイに表示させる表示制御部を備える
ことを特徴とする請求項１に記載の表示装置。
【請求項５】
前記移動機構が、当該表示装置の形態を、前記第２ディスプレイの位置を前記第１形態における位置から前記第２形態と異なる方向にスライドさせた第３形態に変化させる
ことを特徴とする請求項１ないし４のいずれか１項に記載の表示装置。
【請求項６】
前記第２ディスプレイの状態を、光を透過させる第１状態と、前記第１状態よりも光の透過を妨げる第２状態とに切り替えるための切替手段を備える
ことを特徴とする請求項１ないし５のいずれか１項に記載の表示装置。
【請求項７】
前記形態の変化に応じて異なる動作で処理を実行する実行部を備えることを特徴とする請求項１ないし６のいずれかに記載の表示装置。
【請求項８】
前記実行部が、実行するアプリケーションを前記形態の変化に応じて切り替えることを特徴とする請求項７に記載の表示装置。
【発明の詳細な説明】
【技術分野】
【０００１】
本発明は、透過型ディスプレイを用いた情報表示に関する。
【背景技術】
【０００２】
透過型ディスプレイと呼ばれる、向こう側が透けて見えるディスプレイが知られている。かかるディスプレイは、透過ディスプレイ、透明ディスプレイなどとも呼ばれている。特許文献１には、透過型ディスプレイをフリップ部材に設け、この透過型ディスプレイに表示させる画像をフリップ部材の姿勢に応じて修正することが記載されている。
【先行技術文献】
【特許文献】
【０００３】
【特許文献１】特表２００６−５０４１４４号公報
【発明の概要】
【発明が解決しようとする課題】
【０００４】
本発明の目的は、透過型ディスプレイと他のディスプレイの重なり具合に応じた表示を可能にすることにある。
【課題を解決するための手段】
【０００５】
本発明の一態様に係る表示装置は、画像を表示する第１ディスプレイを有する第１ユニットと、画像を表示する透過型の第２ディスプレイを有する第２ユニットと、前記第１ユニット及び前記第２ユニットの位置をスライドによって相対的に移動させ、当該表示装置の形態を変化させる移動機構とを備え、前記移動機構が、当該表示装置の形態を、前記第１ディスプレイと前記第２ディスプレイの少なくとも一部の領域が重なる第１形態と、前記第１ディスプレイと前記第２ディスプレイの重なる領域が前記第１形態よりも少ない第２形態とに変化させる構成を有する。
【０００６】
好ましい態様において、前記表示装置は、前記第１形態において、重ねられたときに組合せ画像を構成する部分画像を前記第１ディスプレイ及び前記第２ディスプレイにそれぞれ表示させ、前記第２形態において、前記第１形態における態様と異なる態様で前記第１ディスプレイ又は前記第２ディスプレイに画像を表示させる表示制御部を備える。
他の好ましい態様において、前記表示装置は、前記第１形態において、第１画像を前記第１ディスプレイに表示させ、当該第１形態から前記第２形態に変化する場合に、前記第１画像に関連する第２画像を前記第２ディスプレイに表示させる表示制御部を備える。
他の好ましい態様において、前記表示装置は、前記第１形態から前記第２形態に変化する期間に、前記第２ユニットの移動に応じて変化する画像を前記第１ディスプレイ又は前記第２ディスプレイに表示させる表示制御部を備える。
他の好ましい態様において、前記移動機構が、当該表示装置の形態を、前記第２ディスプレイの位置を前記第１形態における位置から前記第２形態と異なる方向にスライドさせた第３形態に変化させる。
他の好ましい態様において、前記表示装置は、前記第２ディスプレイの状態を、光を透過させる第１状態と、前記第１状態よりも光の透過を妨げる第２状態とに切り替えるための切替手段を備える。
他の好ましい態様において、前記表示装置は、前記形態の変化に応じて異なる動作で処理を実行する実行部を備える。
他の好ましい態様において、前記実行部が、実行するアプリケーションを前記形態の変化に応じて切り替える。
【発明の効果】
【０００７】
本発明によれば、透過型ディスプレイと他のディスプレイの重なり具合に応じた表示を実現することができる。
【図面の簡単な説明】
【０００８】
【図１】表示装置の外観を示す三面図（基本形態）
【図２】表示装置の縦スライド形態を示す正面図
【図３】表示装置の横スライド形態を示す正面図
【図４】表示装置移動機構を示す模式図
【図５】表示装置のハードウェア構成を示すブロック図
【図６】制御部の機能的構成を示す機能ブロック図
【図７】表示装置の基本形態における表示例を示す図
【図８】表示装置の基本形態における表示例を示す図
【図９】表示装置が基本形態から横スライド形態に遷移するときの表示例を示す図
【図１０】表示装置の横スライド形態における表示例を示す図
【図１１】ランドマークの位置、ユーザの顔の位置及びランドマーク情報の表示位置の三者の関係を概略的に示す図
【図１２】表示装置の外観を示す正面図
【図１３】回転によりスライドする移動機構を示す図
【図１４】表示装置の移動機構を示す正面図
【図１５】表示装置の移動機構を示す側面図
【図１６】切替手段を例示する図
【図１７】切替手段を例示する図
【図１８】移動機構の他の例を示す側面図
【図１９】電子書籍等の文書を表示する表示例を示す図
【図２０】表示装置の横スライド形態における表示例を示す図
【発明を実施するための形態】
【０００９】
［実施形態］
図１は、本発明の一実施形態である表示装置の外観を示す三面図である。本実施形態の表示装置１０は、携帯電話機、スマートフォン等の無線通信端末である。表示装置１０は、図１に示すように、第１ユニット１１０と、第２ユニット１２０とを備える。第２ユニット１２０は、第１ユニット１１０と重なるようになっており、画像を表示する第２ディスプレイ１２１を有している。第１ユニット１１０は、後述する第１ディスプレイ１１１を、この第２ディスプレイ１２１と重なるように有している。また、第２ユニット１２０は、画像を表示しない領域を第２ディスプレイ１２１の周囲に有している。以下においては、ディスプレイの周囲のこのような領域のことを「額縁領域」という。
【００１０】
以下においては、説明の便宜上、第２ユニット１２０の第２ディスプレイ１２１が設けられている側の面を表示装置１０の「正面」といい、後述する第１ユニット１１０の第１ディスプレイ１１１が設けられていない側の面を表示装置１０の「背面」という。また、以下においては、図１中の矢印ａ１の方向のことを上とし、矢印ａ２の方向のことを左とする。さらに、上方向とその反対方向（下方向）とを総称して「縦方向」といい、左方向とその反対方向（右方向）とを総称して「横方向」という。
【００１１】
第２ディスプレイ１２１は、透過型ディスプレイであり、光を背面側から正面側（及び正面側から背面側）に透過する。なお、ここでいう「透過」は、１００％ないしそれに近い透過率で光を通過させることであればより望ましいが、ユーザが画像を認識できる程度の透過率で光を通過させれば足りるものである。第２ディスプレイ１２１は、周知の透過型ディスプレイのいずれであってもよいが、例えば、自発光型の有機ＥＬ（electroluminescence）素子を用いたディスプレイである。また、第２ディスプレイ１２１は、表示素子に液晶を用いる場合のように、表示素子自体が発光しない場合にあっては、額縁領域にエッジライト方式のバックライトを有していてもよい。
【００１２】
第１ユニット１１０及び第２ユニット１２０は、その連結部分が移動機構を構成し、一方を他方に対して相対的に移動させることが可能である。表示装置１０は、かかる移動によってその形態を変化させる。第２ユニット１２０は、第１ユニット１１０に対して縦方向及び横方向に移動する。以下においては、図１に示す形態、すなわち第１ディスプレイ１１１と第２ディスプレイ１２１とが重なっている表示装置１０の形態のことを、「基本形態」という。基本形態は、本発明に係る第１形態の一例に相当する。
【００１３】
図２は、第２ユニット１２０を基本形態から上方向にスライドさせた場合の表示装置１０の形態を示す正面図である。また、図３は、第２ユニット１２０を基本形態から左方向にスライドさせた場合の表示装置１０の形態を示す正面図である。表示装置１０は、第２ユニット１２０が基本形態から移動した形態になることによって、第１ディスプレイ１１１が露出した状態（すなわち、第２ユニット１２０に覆われていない状態）になる。以下においては、図２に示す状態のことを「縦スライド形態」といい、図３に示す状態のことを「横スライド形態」という。縦スライド形態及び横スライド形態は、本発明に係る第２形態（又は第３形態）の一例に相当する。なお、ここにおいて、スライドとは、ディスプレイの面に沿って移動することをいうものである。
【００１４】
第１ディスプレイ１１１は、本実施形態においては、第２ディスプレ１２１イと同面積の表示領域（画像を表示する領域）を有するものとする。第１ディスプレイ１１１は、基本形態において正面（ディスプレイの表面に対して垂直な方向）から視認したとき、第２ディスプレイ１２１とちょうど重なる位置にある。なお、第１ディスプレイ１１１は、透過型ディスプレイである必要はなく、周知のさまざまなディスプレイを用い得る。
【００１５】
基本形態において、第１ディスプレイ１１１は、これを正面側から観察するユーザにより、第２ディスプレイ１２１を介して視認される。一方、縦スライド形態及び横スライド形態において、第１ディスプレイ１１１は、第２ディスプレイ１２１を介さずにユーザに視認される。よって、表示装置１０は、基本形態から縦スライド形態又は横スライド形態に形態を変化させることで、表示領域の面積を２倍に増やすことが可能である。これにより、表示装置１０は、縦スライド形態又は横スライド形態において、電子書籍等の文書（いわゆるページ物）を見開きの状態で２ページ同時に表示したり、静止画や動画を基本形態よりも拡大して大画面で表示したりすることが可能になる。なお、表示装置１０は、画像を拡大して表示するとき、第２ユニット１２０のスライド量に応じて画像を徐々に（縦方向と横方向の比率を維持したまま）拡大してもよい。
【００１６】
また、表示装置１０は、基本形態から縦スライド形態又は横スライド形態に変化したとき、基本形態で表示されていた画像を拡大して表示するだけでなく、基本形態で表示されていた画像のレイアウトをも変更するようにしてもよい。ここにおいて、レイアウトの変更とは、文字や画像を縦長の表示に適した配置から横長の表示に適した配置に変更するものや、１行当たりの文字数を変更するものなどをいう。なお、かかる変更は、基本形態から縦スライド形態又は横スライド形態に変化した場合に限らず、その逆の変化をする場合にも行われ得る。
【００１７】
図４は、表示装置１０の移動機構を示す模式図である。第２ユニット１２０は、レール１２２、１２３、１２４及び１２５を有する。レール１２２、１２３、１２４及び１２５は、第２ユニット１２０の移動を案内するための溝である。また、第１ユニット１１０は、突起部１１２、１１３及び１１４を有する。突起部１１２、１１４は、第２ユニット１２０をレール１２２、１２３に沿って横方向にスライドさせる。なお、第２ユニット１２０が基本形態から左方向にスライドするとき、突起部１１３は、第１ユニット１１０の内部に押し込まれ、レール１２２、１２５から外れるように構成されている。また、突起部１１３は、第２ユニット１２０が横スライド形態から基本形態に戻るときには、突起してレール１２２、１２５に再び嵌るように構成されている。
【００１８】
また、突起部１１２、１１３は、第２ユニット１２０をレール１２４、１２５に沿って縦方向にスライドさせる。なお、第２ユニット１２０が基本形態から上方向にスライドするとき、突起部１１４は、第１ユニット１１０の内部に押し込まれ、レール１２３、１２４から外れるように構成されている。また、突起部１１４は、第２ユニット１２０が縦スライド形態から基本形態に戻るときには、突起してレール１２３、１２４に再び嵌るように構成されている。
【００１９】
図５は、表示装置１０のハードウェア構成を示すブロック図である。表示装置１０は、図５に示すように、制御部１００と、記憶部２００と、表示部３００と、操作部４００と、通信部５００と、音声入出力部６００と、第１検知部７００と、第２検知部８００と、カメラ部９００とを備える。
【００２０】
制御部１００は、表示装置１０の各部の動作を制御する手段である。制御部１００は、ＣＰＵ（Central Processing Unit）等の演算処理装置や主記憶装置に相当する記憶手段（メインメモリ）を備え、プログラムを実行することによって制御を行う。制御部１００が実行するプログラムには、基本プログラムとアプリケーションプログラム（以下単に「アプリケーション」という。）とがあるものとする。記憶部２００は、制御部１００が用いるデータを記憶する手段である。記憶部２００は、補助記憶装置に相当する記憶手段（ハードディスク、フラッシュメモリ等）を備えるが、いわゆるメモリカードのような着脱可能な記憶手段（リムーバブルメディア）を含んでもよい。
【００２１】
表示部３００は、第１ディスプレイ１１１及び第２ディスプレイ１２１に画像を表示させる手段である。表示部３００は、第１ディスプレイ１１１及び第２ディスプレイ１２１と、これらのディスプレイを駆動するための駆動回路などを備える。操作部４００は、ユーザの操作を受け付けるための入力手段を備える。操作部４００は、入力手段として、第１ディスプレイ１１１や第２ディスプレイ１２１の正面側に設けられるタッチスクリーンや、額縁領域や正面以外の面にボタン（電源ボタン等）を有することが可能である。操作部４００は、ユーザの操作を表す操作情報を制御部１００に供給する。通信部５００は、外部装置を無線通信を行うための手段である。ここでいう外部装置は、無線通信ネットワークを構成する基地局であってもよいし、表示装置１０と通信する他の無線通信端末であってもよい。つまり、通信部５００は、赤外線通信等の近距離無線通信を行うための手段を含み得る。音声入出力部６００は、音声の入力及び出力を行うための手段であり、スピーカやマイクロホンを備える。
【００２２】
第１検知部７００は、表示装置１０の形態、すなわち第１ユニット１１０と第２ユニット１２０の相対的な位置関係を検知するための手段である。第１検知部７００は、例えば、突起部１１３又は１１４が押し込まれ、又は突起したことを検知するセンサや、突起部のレール内における位置を検知するセンサを含み得る。第１検知部７００は、望ましくは、基本形態、縦スライド形態及び横スライド形態の３形態だけでなく、基本形態から別の形態（あるいはその逆）へと遷移する過渡的な状態をも検知できるように構成される。この場合、第１検知部７００は、第１ディスプレイ１１１及び第２ディスプレイ１２１の重なり具合（すなわち、重なり合う面積）を検知することが可能である。第１検知部７００は、これらの検知結果を表す形態情報を制御部１００に供給する。
【００２３】
第２検知部８００は、表示装置１０の位置と姿勢を検知するための手段である。ここにおいて、表示装置１０の姿勢とは、表示装置１０の向きのことをいい、特に、第２ディスプレイ１２１の背面側が向いている方向のことである。第２検知部８００は、位置情報によって表示装置１０の位置を検知する。位置情報は、例えば、緯度や経度によって位置を表す情報であり、ＧＰＳ（Global Positioning System）によって取得可能である。なお、位置情報は、表示装置１０の位置を特定可能なものであればよく、ＧＰＳによって取得されるものに限定されない。また、第２検知部８００は、地磁気や加速度を検知するセンサによって表示装置１０の姿勢を検知する。第２検知部８００は、表示装置１０の位置を表す位置情報と姿勢を表す姿勢情報とを制御部１００に供給する。
【００２４】
カメラ部９００は、表示装置１０のユーザを撮影する手段であり、ユーザの顔（特に目）の位置を認識するための手段である。カメラ部９００は、ＣＭＯＳ（Complementary Metal Oxide Semiconductor）イメージセンサ等の撮像素子を第２ユニット１２０（又は第１ユニット１１０）の額縁領域に備える。また、カメラ部９００は、被写体（すなわちユーザの顔）までの距離を計測する測距機能を有していることが望ましい。カメラ部９００は、被写体の距離を表す距離情報や撮影した画像データを制御部１００に供給する。
【００２５】
図６は、制御部１００の機能的構成の一部（特に、画像の表示に関するもの）を示す機能ブロック図である。制御部１００は、基本プログラムを実行することにより、図６に示すモード判定部１０１、表示制御部１０２、アプリケーション実行部１０３及びユーザ認識部１０４に相当する各機能を実現する。
【００２６】
モード判定部１０１は、第１検知部７００による検知結果（すなわち形態情報）を用いて、表示装置１０の形態に応じたモードを判定する。ここでいうモードには、基本形態に対応する「基本モード」と、縦スライド形態に対応する「縦モード」と、横スライド形態に対応する「横モード」とが少なくとも含まれる。また、モード判定部１０１は、基本モードから縦モード又は横モードに遷移する過渡的な状態を別のモード（以下「過渡モード」という。）として判定してもよい。
【００２７】
表示制御部１０２は、表示部３００による第１ディスプレイ１１１及び第２ディスプレイ１２１の表示を制御する。表示制御部１０２は、操作部４００により供給される操作情報や、モード判定部１０１により判定されたモードに従い、第１ディスプレイ１１１と第２ディスプレイ１２１のそれぞれに応じた画像が表示されるように表示部３００を制御する。
【００２８】
アプリケーション実行部１０３は、モード判定部１０１による判定結果を用いて、表示装置１０の形態（すなわちモード）に応じた処理を実行する。アプリケーション実行部１０３は、例えば、特定のモードにおいてのみ実行可能なアプリケーションがある場合には、他のモードにおいては当該アプリケーションを実行しないように動作を制限したり、あるモードから他のモードへとモードが遷移する場合には、実行するアプリケーションを切り替えたりする。また、アプリケーション実行部１０３は、複数のモードで同じアプリケーションを実行する場合であっても、処理の動作をそれぞれのモードに応じて異ならるようにしてもよい。
【００２９】
ユーザ認識部１０４は、カメラ部９００による撮影結果を用いて、ユーザの顔の位置を認識する。ユーザ認識部１０４は、カメラ部９００により得られた画像データと距離情報とに基づき、ユーザの顔が第２ディスプレイ１２１からどれだけ離れているかを認識し、さらに、基準の方向（例えば、第２ディスプレイ１２１からみて真正面の方向）からどれだけずれた方向から第２ディスプレイ１２１を視認しているかを認識する。なお、ユーザ認識部１０４は、ユーザの認識を必要とする場合に機能すればよく、それ以外の場合には機能していなくてもよい。ユーザ認識部１０４による認識結果は、アプリケーション実行部１０３が所定のアプリケーションを実行するときに用いられる。
【００３０】
表示装置１０の構成は、以上のとおりである。表示装置１０は、かかる構成のもと、ユーザの操作や自装置のモードに応じた態様で画像を表示する。表示装置１０は、例えば、基本モードである場合には、第１ディスプレイ１１１と第２ディスプレイ１２１とが重なっていることを利用して、画像の表示に立体感や娯楽性を与えたりする。また、表示装置１０は、縦モードや横モードである場合には、表示領域の面積が基本モードから増加することを利用して、第１ディスプレイ１１１又は第２ディスプレイ１２１の一方を補助的なディスプレイとして用いられるようにしたり、あるいは、第２ディスプレイ１２１を介して向こう側が透けて見えることを利用して、拡張現実（Augmented Reality。以下「ＡＲ」ともいう。）的に情報を提示したりする。
【００３１】
図７は、表示装置１０の基本形態における表示例を示す図である。図７は、説明の便宜上、第１ユニット１１０及び第２ユニット１２０が重なっていない状態での画像と、第１ユニット１１０及び第２ユニット１２０が重なっている状態での画像とを併記したものである。図７に示す表示例は、ある仮想空間にキャラクタやアイコンを表示させるものである。この例において、第１ディスプレイ１１１は、背景に相当する仮想空間の画像を表示しており、第２ディスプレイ１２１は、キャラクタやアイコンの画像を仮想空間の前景として表示している。このようにすることで、表示装置１０は、立体感（奥行き感）のある画像表示を実現することができる。
【００３２】
このとき、制御部１００は、第１ディスプレイ１１１には静止画を表示し、第２ディスプレイ１２１には動画を表示する、というように、第１ディスプレイ１１１と第２ディスプレイ１２１とに表示する画像をその性質に応じて振り分けてもよい。例えば、動画と静止画とで振り分けを行えば、一方のディスプレイを書き換えることなく、立体感のある動画を表示することが可能となる。
【００３３】
図８は、表示装置１０の基本形態における他の表示例を示す図である。この例において、第２ディスプレイ１２１は、「Ａ」という文字を表示し、第１ディスプレイ１１１は、「Ａ」という文字の影に相当する画像を表示する。このように、表示装置１０は、第１ディスプレイ１１１と第２ディスプレイ１２１とが重なることによって、いわゆる影付きの文字を表示することができる。この例において、「Ａ」という文字とその影の画像とは、それぞれ、本発明に係る部分画像に相当し、影付きの文字の画像は、本発明に係る組合せ画像に相当する。
【００３４】
なお、図７や図８の例において、表示装置１０は、基本形態から他の形態に変化する場合には、画像の振り分けを行わずに、それぞれのディスプレイに表示されていた画像をいずれか一方のディスプレイにまとめて表示してもよい。あるいは、表示装置１０は、図８の例にあっては、影の画像を表示せずに、文字だけを表示してもよい。
また、部分画像は、重ねられたときに組合せ画像を構成するものであれば、どのような画像であってもよい。例えば、部分画像は、ある文字、記号、文字列などを適当な位置で分割した画像の各々であってもよいし、文字列とその文字列に対する装飾（下線、着色など）とであってもよい。
【００３５】
図９は、表示装置１０が基本形態から横スライド形態に遷移するときの表示例を示す図である。この例において、表示装置１０は、図９（ａ）に示す基本形態においては、所定の画面（例えば、Ｗｅｂページ）を第１ディスプレイ１１１に表示しているものとする。また、表示装置１０は、基本形態から横スライド形態へと変化する過渡的な期間（図９（ｂ）参照）に、その表示態様が第２ユニット１２０の移動に応じて変化する画像を第１ディスプレイ１１１に表示する。かかる画像は、第１ディスプレイ１１１の第２ディスプレイ１２１と重なっている領域内に表示されるものであり、当該領域が狭くなるに従って押し潰されるようにアニメーション表示される。表示装置１０は、第１ディスプレイ１１１と第２ディスプレイ１２１とが重なる領域の面積が所定の閾値以下になると、基本形態において第１ディスプレイ１１１に表示されていた画像を第２ディスプレイ１２１に表示させる。
【００３６】
このように動作した結果、表示装置１０は、図９（ａ）に示す基本形態においては第１ディスプレイ１１１に表示していた所定の画面を、図９（ｃ）に示す横スライド形態においては第２ディスプレイ１２１に表示するようになる。また、表示装置１０は、図９（ｃ）に示す横スライド形態においては、第１ディスプレイ１１１に当該所定の画面と異なる画面（例えば、テキストエディタの入力画面や、電子メールの作成画面など）を表示する。このようにすれば、ユーザは、所定の画面を視認しながら文字の入力を行うことが可能になる。なお、ここでいう「所定の画面」は、本発明に係る第１画像及び第２画像の一例である。
【００３７】
本発明に係る第１画像及び第２画像は、それぞれが関連し、何らかの対応関係を有する画像である。図９の例においては、第１画像と第２画像とは、実質的に同一の画像であり、その内容に相違はない。ただし、第２画像は、例えば、第１画像の一部のみを抽出した画像であってもよいし、第１画像に代替する画像であってもよい。例えば、第１の画像があるＷｅｂページである場合であれば、第２の画像は、当該ＷｅｂページのＵＲＬ（Uniform Resource Locator）であってもよい。
【００３８】
なお、図９に示す表示例は、上述した説明とは反対の表示態様、すなわち、基本形態において第２ディスプレイ１２１に所定の画面を表示し、過渡的な期間において第２ディスプレイ１２１に画像を表示し、横スライド形態において第１ディスプレイ１１１に所定の画面を表示する態様としてもよい。
また、図９に示す表示例は、過渡的な期間を経ることなく、図９（ａ）に示す表示態様から図９（ｃ）に示す表示態様に直接遷移するものであってもよい。
【００３９】
図１０は、表示装置１０の横スライド形態における他の表示例を示す図である。図１０の例は、説明の便宜上、第２ディスプレイ１２１が第１ディスプレイ１１１に対して上方向に位置するようにユーザが表示装置１０を保持するものとする。このとき、第２ディスプレイ１２１は、ユーザが向けた方向の風景が透けて見えるようになっている。かかる風景には、建築物や地形（山など）等のランドマークが含まれているものとする。表示装置１０は、自装置の位置と姿勢とを検知することにより、ユーザが向けている方向がどのような風景であるのかを認識し、第２ディスプレイ１２１を介して見えているランドマークを表すランドマーク情報を取得する。ここにおいて、ランドマーク情報とは、ランドマークに関する情報を位置情報と対応付けたデータをいう。表示装置１０は、ランドマーク情報をあらかじめ記憶部２００に記憶しているか、あるいは、通信部５００を介して外部装置から取得する。
【００４０】
このとき、第２ディスプレイ１２１は、風景の視認を必要以上に妨げないように、ランドマーク情報の一部のみを表示する。図１０の例において、第２ディスプレイ１２１は、建築物や地形の名称（ここでは、「Ａ美術館」と「Ｂタワー」）のみを表示している。一方、第１ディスプレイ１１１は、必要に応じて、位置情報及び姿勢情報に基づいて取得したランドマーク情報のうちの第２ディスプレイ１２１に表示されていないものを表示することができる。図１０の例において、第１ディスプレイ１１１は、「Ａ美術館」に関連する情報（例えば、開館時間、休館日、紹介文など）と、「Ａ美術館」と「Ｂタワー」の地図上における位置とを表示している。この例において、ランドマーク情報は、本発明に係る第１画像及び第２画像の一例であるとみなすことが可能である。なお、第１ディスプレイ１１１は、例えば、「Ａ美術館」や「Ｂタワー」の周辺にある他の施設（例えば、商店や飲食店など）を案内する情報を表示してもよい。また、表示装置１０は、位置情報及び姿勢情報を繰り返し（例えば定期的に）取得し、位置や姿勢の変化に応じて表示する画像を切り替えてもよい。
【００４１】
なお、図１０に例示する表示を行うときには、ユーザがあらかじめ決められた持ち方で表示装置１０を保持することが望ましい。ここにおいて、あらかじめ決められた持ち方とは、例えば、第２ディスプレイ１２１に対して垂直な方向にユーザの顔があり、かつ、第２ディスプレイ１２１とユーザの顔との距離が所定の距離（例えば、約３０ｃｍ）であるような持ち方をいう。このようにすることで、第２ディスプレイ１２１に表示されるランドマーク情報の位置と実際の建築物や地形の位置とに誤差（ずれ）を生じにくくすることが可能になる。
【００４２】
さらに、表示装置１０は、ユーザ認識部１０４を用いることにより、第２ディスプレイ１２１におけるランドマーク情報の表示位置をユーザの顔の位置の認識結果に基づいて変更することも可能である。このようにすれば、第２ディスプレイ１２１に表示されるランドマーク情報の位置と実際の建築物や地形の位置とに生じる誤差をより少なくすることが可能となる。
【００４３】
図１１は、ランドマークの位置、ユーザの顔の位置及びランドマーク情報の表示位置の三者の関係を概略的に示す図である。図１１において、Ｌ0は、実際のランドマークの位置を表し、Ｕ1及びＵ2は、ユーザの顔の位置をそれぞれ表す。また、Ｌ1及びＬ2は、それぞれ、ユーザの顔の位置がＵ1又はＵ2である場合のランドマーク情報の表示位置を表すものである。表示装置１０は、このような原理によってランドマーク情報の表示位置を計算により求め、これを必要に応じて補正することが可能である。
【００４４】
以上のとおり、表示装置１０によれば、第２ディスプレイ１２１を移動させ、自装置の形態を変化させることにより、自装置が表示する情報量を増加させたり、情報の表示位置を移動させることが可能である。また、表示装置１０によれば、基本形態から横スライド形態（又は縦スライド形態）に遷移する過渡的な状態においても、第１ディスプレイ１１１と第２ディスプレイ１２１の重なり具合（例えば、重なる面積）に応じた画像表示を実現することが可能である。このように、本実施形態の表示装置１０によれば、透過型の第２ディスプレイ１２１を第１ディスプレイ１１１に重ねて設け、さらにこれをスライド可能にすることによって、透過型ディスプレイを単体で用いた場合や、透過型でないディスプレイを組み合わせて用いた場合に比べ、多様な画像表示を実現することが可能となる。
【００４５】
［変形例］
上述した実施形態は、本発明の実施の一例にすぎない。本発明は、上述した実施形態に対して以下の変形を適用した態様で実施することも可能である。なお、以下に示す変形例は、必要に応じて、各々を適当に組み合わせて実施されてもよいものである。
【００４６】
（変形例１）
本発明に係る表示装置は、ディスプレイを有するユニットを３以上備える構成であってもよいし、ディスプレイを有するユニットとディスプレイを有しないユニットとを備える構成であってもよい。
【００４７】
図１２は、本変形例に係る表示装置の外観を示す正面図である。図１２に示す表示装置２０は、図１に示す第１ユニット１１０と第２ユニット１２０とに加え、第３ユニット１３０を備える。第３ユニット１３０は、縦方向にスライド可能な移動機構を有するとともに、入力手段としてキーパッド１３１を有する。キーパッド１３１は、例えばテンキーであるが、ＱＷＥＲＴＹ配列のキーなどであってもよい。この構成においては、第１ディスプレイ１１１及び第２ディスプレイ１２１は、タッチスクリーンによる入力手段を有しなくてもよい。なお、第３ユニット１３０は、図４と同様の移動機構により、縦方向だけでなく横方向にもスライド可能であってもよい。
【００４８】
（変形例２）
本発明に係る移動機構は、回転によりスライドする構成であってもよいし、スライドによる移動以外の移動を含むものであってもよい。また、移動機構は、ユーザが手動で形態を変化させるものであってもよいし、モータ等によって電動で形態を変化させるものであってもよい。
【００４９】
図１３は、回転によりスライドする移動機構を示す図である。図１３に示す表示装置３０は、図４に示す移動機構に代えて、軸部１１５を有する。軸部１１５は、第２ユニット１２０の回転軸として機能するものである。第２ユニット１２０は、第１ユニット１１０と重なる基本形態の位置から、図中の二点鎖線で示す位置に移動可能である。
【００５０】
図１４及び図１５は、本発明に係る移動機構の他の例を示す図である。図１４及び図１５に示す表示装置４０は、第１ディスプレイ１１１の表面と第２ディスプレイ１２１の表面とに生じる段差が少なくなるように構成された移動機構を有するものである。図１４は、表示装置４０の正面図であり、図１５は、表示装置４０の内部の構造を下側面側から示す図である。なお、図１５は、図１４に比べ、正面から背面に向かう方向（厚さ方向）の寸法を強調して示している。
【００５１】
第１ユニット１１０ａは、第１ディスプレイ１１１を有するとともに、これを背面側から付勢するばね１１６、１１７、１１８及び１１９を備える。第１ディスプレイ１１１は、第１形態においては、ばね１１６〜１１９と第２ディスプレイ１２１とに挟まれて動かないようになっている。第２ユニット１２０ａは、第１形態においては、第１ユニット１１０ａに収納された状態になっている。この状態から第２ユニット１２０ａが右方向に引き出されると、第１ディスプレイ１１１は、ばね１１６〜１１９の作用によって正面方向に移動し、その表面が第２ディスプレイ１２１の表面とほぼ平坦になる位置で停止する。
【００５２】
（変形例３）
本発明に係る表示装置は、透過型ディスプレイに対して、光の透過を許容する状態と妨げる状態とを切り替えるための切替手段を備えるものであってもよい。このようにすれば、例えば、上述した第２形態（又は第３形態）において、向こう側が透けて見える必要がない場合や、向こう側が透けて見えない方が望ましい場合に光の透過を遮り、透過型ディスプレイの視認性を向上させることが可能である。本発明の切替手段としては、例えば、以下の２例のいずれかを用いることができる。なお、これらの切替手段は、移動機構による移動を妨げることがないように設けられている。
【００５３】
図１６及び図１７は、本発明に係る切替手段を例示する図である。図１６は、切替手段として調光層１２６を備える例を示す断面図である。調光層１２６は、第２ディスプレイ１２１の背面側を覆うように設けられた層であり、１対の透明電極層や、エレクトロクロミック素子の層を含んで構成される。ここにおいて、エレクトロクロミック素子とは、エレクトロクロミズム（光物性が電気的に変化する現象）を示す素子をいい、電圧の印加によって光の透過率を変化させる素子である。調光層１２６は、光を透過させる第１状態と、当該第１状態よりも光の透過率が低下する第２状態を少なくともとり得る。また、調光層１２６は、第１状態から第２状態に遷移するに際し、光の透過率を連続的に変化させるものであってもよい。
【００５４】
図１７は、切替手段としてスクリーン１２７を備える例を示す断面図である。スクリーン１２７は、シート状のプラスチックや布であり、その表面が光を反射しやすい色（例えば、白）になっている。スクリーン１２７は、これを必要としないときには、図１７（ａ）に示すように、巻き取られた状態で額縁領域１２９の内部に収納されている。ユーザは、このように収納されたスクリーン１２７を、必要に応じて引き出し、図１７（ｂ）に示すような状態にする。図１７（ａ）に示す状態は、上述した第１状態に相当する状態である。一方、図１７（ｂ）に示す状態は、上述した第２状態に相当する状態である。
【００５５】
（変形例４）
本発明に係る表示装置は、ディスプレイの面に沿った方向以外の方向に移動する機構を有してもよい。かかる移動は、例えば、ディスプレイの面に対して垂直な方向（以下「垂直方向」という。）の移動である。本発明に係る表示装置は、かかる垂直方向の移動とスライド移動とを行うものであってもよいし、上述したスライド移動に代えて垂直方向の移動を行うものであってもよい。
【００５６】
図１８は、本発明に係る移動機構の他の例を示す側面図である。この例において、表示装置５０は、第１ユニット１１０と第２ユニット１２０とを支持する支持部１４０を備える。支持部１４０は、垂直方向に伸縮し、第１ユニット１１０と第２ユニット１２０とを図１８（ａ）に示す状態から図１８（ｂ）に示す状態に離間させる。
【００５７】
ユーザが表示装置５０を正面から見たとき、第２ユニット１２０は、図１８（ｂ）に示す状態の場合には図１８（ａ）に示す状態の場合よりもユーザに接近する。このとき、表示装置５０は、第２ユニット１２０がユーザに接近するに従い、例えば、第１ディスプレイ１１１に表示されている画像の縮尺を変えずに、第２ディスプレイ１２１に表示されている画像を徐々に拡大する。このようにすれば、第２ディスプレイ１２１があたかも拡大鏡であるかのようにユーザに知覚させることが可能である。
【００５８】
（変形例５）
本発明に係る移動機構は、図３に示すように第２ユニット１２０が基本形態から左方向にスライドするだけでなく、第２ユニット１２０が基本形態から右方向にもスライドするように構成されたものであってもよい。このとき、表示装置は、第２ユニット１２０が右方向にスライドする場合と左方向にスライドする場合とで異なる動作を行うようにしてもよい。あるいは、表示装置は、このように基本形態から右方向と左方向の両方にスライド可能でない場合であっても、重力センサなどを用いて上下（天地）方向を認識し、第２ユニット１２０がユーザから見て右方向又は左方向のいずれにスライドしているかを判断してもよい。
【００５９】
図１９は、本変形例に係る表示例を示す図であり、電子書籍等の文書を表示する例である。この例において、第１ディスプレイ１１１には、所定のページ（第２章）の画像が表示されているものとする。このとき、第２ディスプレイ１２１は、第２ユニット１２０が左方向にスライドする場合には、第１ディスプレイ１１１に表示されたページの前のページ（第１章）の画像を表示する一方（図１９（ａ）参照）、第２ユニット１２０が右方向にスライドする場合には、第１ディスプレイ１１１に表示されたページの次のページ（第３章）の画像を表示する（図１９（ｂ）参照）。
【００６０】
図２０は、本変形例に係る別の表示例を示す図であり、図１０の表示例に対応するものである。この例において、表示装置１０は、第２ユニット１２０が左方向（図中では上方）にスライドする場合には、図１０に示すようなランドマーク情報を第２ディスプレイ１２１に表示させる一方、第２ユニット１２０が右方向（図中では下方）にスライドする場合には、ランドマーク情報に関連する別の情報を第２ディスプレイ１２１に表示させる。ここでいう「別の情報」は、図２０の例においては、「Ａ美術館」又は「Ｂタワー」の周辺にある飲食店を紹介する情報である。かかる情報は、表示装置１０にあらかじめ記憶されていてもよいが、第２ユニット１２０の移動を契機に表示装置１０が検索を実行し、インターネット等を介して外部から取得されてもよい。
【００６１】
なお、本変形例は、横方向のスライドに対してだけではなく、縦方向のスライドに対しても適用可能である。また、図１９や図２０（及び図１０）の表示例は、スライドする方向が右方向と左方向のいずれであるかによって動作を変えるものではなく、スライドする方向が左方向（すなわち横スライド形態）と上方向（すなわち縦スライド形態）のいずれであるかによって動作を変えるものであってもよい。具体的には、図１９の表示例でいえば、第２ユニット１２０を左方向にスライドさせた場合においては、第１ディスプレイ１１１に表示されたページの前のページの画像が第２ディスプレイ１２１に表示され、第２ユニット１２０を上方向にスライドさせた場合においては、第１ディスプレイ１１１に表示されたページの次のページの画像が第２ディスプレイ１２１に表示される、といった表示例がこれに該当する。
【００６２】
（変形例６）
上述した実施形態で例示した第１形態と第２形態は、前者が第１ディスプレイ１１１と第２ディスプレイ１２１とがちょうど重なる形態であり、後者が第１ディスプレイ１１１と第２ディスプレイ１２１とがまったく重ならない形態であった。しかし、本発明に係る第１形態と第２形態は、このような形態に限定されず、例えば、第１ディスプレイ１１１と第２ディスプレイ１２１の形状や大きさが同一でない（すなわち、ちょうど重なる形態にならない）場合や、第２形態において第１ディスプレイ１１１と第２ディスプレイ１２１とがわずかに重なる場合なども含まれるものである。
【００６３】
要するに、本発明に係る第１形態は、ユーザが所定の方向から視認したときに、第１ディスプレイと第２ディスプレイの重なる領域が第２形態よりも多い形態であれば、どのような形態であってもよい。同様に、本発明に係る第２形態は、ユーザが所定の方向から視認したときに、第１ディスプレイと第２ディスプレイの重なる領域が第１形態よりも少ない形態であれば、どのような形態であってもよい。ここにおいて、第１ディスプレイと第２ディスプレイの重なる領域が「少ない」とは、当該領域が存在しない場合を含む意味である。
【００６４】
（変形例７）
上述したとおり、本発明に係る表示装置が第２形態（又は第３形態）において表示する画像は、第１ディスプレイの画像と第２ディスプレイの画像とに何らかの対応関係があってもよいが、かかる対応関係を有しなくてもよい。第２形態において第１ディスプレイと第２ディスプレイとに表示される画像は、例えば、それぞれの間に連続性を有するものであってもよい。ここでいう連続性は、例えば、単一のデスクトップ画面を第１ディスプレイと第２ディスプレイとに分割して表示するものである。このように表示した場合、アイコン等を第１ディスプレイから第２ディスプレイの方向へとドラッグし、当該アイコン等が第１ディスプレイと第２ディスプレイの境界まで達すると、当該アイコン等が第２ディスプレイに表示されるようになる。
【００６５】
（変形例８）
図９又は図１０で説明した表示例は、横スライド形態においてではなく、縦スライド形態において行われてもよいものである。また、これらの表示例は、例えば、横スライド形態においては図９の例のように動作し、縦スライド形態においては図１０の例のように動作する、というように、形態に応じて異なる動作となってもよい。
【００６６】
（変形例９）
本発明に係る表示装置は、無線通信端末に限定されない。本発明に係る表示装置は、例えば、無線通信ではなく有線通信を行う情報処理装置であってもよいし、さらには通信手段を有しない情報処理装置であってもよい。本発明は、例えば、パーソナルコンピュータ、ゲーム機、デジタルオーディオプレーヤなど、表示部を有するさまざまな情報処理装置に対して適用可能である。
【符号の説明】
【００６７】
１０、２０、３０、４０…表示装置、１１０…第１ユニット、１１１…第１ディスプレイ、１２０…第２ユニット、１２１…第２ディスプレイ、１００…制御部、１０１…モード判定部、１０２…表示制御部、１０３…アプリケーション実行部、１０４…ユーザ認識部、２００…記憶部、３００…表示部、４００…操作部、５００…通信部、６００…音声入出力部、７００…第１検知部、８００…第２検知部、９００…カメラ部
【図１】
2011248208.tif 000003
【図２】
2011248208.tif 000004
【図３】
2011248208.tif 000005
【図４】
2011248208.tif 000006
【図５】
2011248208.tif 000007
【図６】
2011248208.tif 000008
【図８】
2011248208.tif 000009
【図９】
2011248208.tif 000010
【図１１】
2011248208.tif 000011
【図１２】
2011248208.tif 000012
【図１３】
2011248208.tif 000013
【図１４】
2011248208.tif 000014
【図１５】
2011248208.tif 000015
【図１６】
2011248208.tif 000016
【図１７】
2011248208.tif 000017
【図１８】
2011248208.tif 000018
【図１９】
2011248208.tif 000019
【図２０】
2011248208.tif 000020
【図７】
2011248208.tif 000021
【図１０】
2011248208.tif 000022